(57)【要約】【課題】画像データを検索および指定がより容易な形態で分類する。【解決手段】ユーザ１が画像データＳ０を画像保管サーバ２に送信する。画像整理手段４においては、タグ情報読取手段４２が画像データＳ０に付与されたタグ情報Ｔ０を読み取る。新古分類手段４３はタグ情報Ｔ０に記述された撮影日時情報に基づいて、画像データＳ０を、撮影日時の新しい順に所定数の画像データを新しい画像グループに、上記所定数に入らない画像データを古い画像グループに分類し、第１画像分類手段４４が古い画像グループに属する画像データＳ０１をタグ情報Ｔ０に基づいて階層構造を有する複数のグループに分類して分類情報Ｂ０１を生成し、第２画像分類手段４５が新しい画像グループに属する画像データＳ０２を第１画像分類手段４４による分類より少ない階層構造を有する複数のグループに分類して分類情報Ｂ０２を生成する。分類情報Ｂ０１およびＢ０２からなる分類情報Ｂ０は画像データＳ０および画像データＳ０のサムネイル画像データＳＴ０とともに保管データベース２１に保管される。【選択図】　　　　　図１
2004120420.tif 000002
【特許請求の範囲】
【請求項１】
撮影日時情報を含む付帯情報が付与された画像データから前記付帯情報を取得する付帯情報取得手段と、
前記画像データを前記撮影日時情報が表す撮影日時の前後関係に基づいて新しい画像グループと古い画像グループとに分類する新古分類手段と、
少なくとも前記古い画像グループに属する画像データを、前記付帯情報に基づいて、階層構造を有する複数のグループに分類する第１の画像分類手段と、
前記新しい画像グループに属する画像データを、前記付帯情報に基づいて、前記第１の画像分類手段による分類よりも階層数の少ない階層構造を有するグループに分類する第２の画像分類手段とを備えたことを特徴とする画像整理装置。
【請求項２】
前記新古分類手段が、前記撮影日時が新しい順に所定数以内の画像データを新しい画像グループに、前記所定数を越えた部分の画像データを古い画像グループに分類するものであることを特徴とする請求項１記載の画像整理装置。
【請求項３】
前記新古分類手段が、前記撮影日時情報が表す撮影日時が所定日時以降の画像データを新しい画像グループに、前記撮影日時情報が表す撮影日時が前記所定日時より前の画像データを古い画像グループに分類するものであることを特徴とする請求項１記載の画像整理装置。
【請求項４】
現在日時を表す現在日時情報を取得する現在日時情報取得手段をさらに備え、
前記所定日時が、前記現在日時から所定時間前の日時であることを特徴とする請求項３記載の画像整理装置。
【請求項５】
前記新しい画像グループに分類されている画像データのうち、時間の経過に伴い前記撮影日時が前記所定日時より前となった画像データを、古い画像グループに移行させる画像データ移行手段をさらに備え、
前記第１の画像分類手段が、前記画像データ移行手段により移行された画像データを、前記階層構造を有する複数のグループに分類するものであることを特徴とする請求項３または４記載の画像整理装置。
【請求項６】
付帯情報が付与された画像データから前記付帯情報を取得する付帯情報取得手段と、
画像データの分類処理に伴って、該分類処理により初めて分類される画像データと前記分類処理の順番とを対応付けて特定する分類履歴情報を記憶する分類履歴情報記憶手段と、
該分類履歴情報に基づいて、最新の所定回数以内の分類処理によって初めて分類された画像データを新しい画像グループに、前記最新の所定回数の分類処理が行われる前に初めて分類された画像データを古い画像グループにそれぞれ分類する新古分類手段と、
少なくとも前記古い画像グループに属する画像データを前記付帯情報に基づいて階層構造を有する複数のグループに分類する第１の画像分類手段と、
前記新しい画像グループに属する画像データを前記付帯情報に基づいて前記第１の画像分類手段による分類よりも階層数の少ない階層構造を有するグループに分類する第２の画像分類手段とを備えたことを特徴とする画像整理装置。
【請求項７】
前記第２の画像分類手段が、前記新しい画像グループに属する画像データを、単一階層構造を有するグループに分類するものであることを特徴とする請求項１から６いずれか記載の画像整理装置。
【請求項８】
前記付帯情報が、撮影日時情報、撮影条件、撮影場所、画像のサイズ、被写体の種類、被写体の固有名称、被写体の個数、イベント、コメントのうち少なくとも１つを含むものであることを特徴とする請求項１から７いずれか記載の画像整理装置。
【請求項９】
前記付帯情報に関連した関連情報を取得する関連情報取得手段をさらに備え、
前記第１の画像分類手段および前記第２の画像分類手段が、画像データを、前記付帯情報に加えて前記関連情報にも基づいて分類するものであることを特徴とする請求項１から８いずれか記載の画像整理装置。
【請求項１０】
撮影日時情報を含む付帯情報が付与された画像データから前記付帯情報を取得する手順と、
前記画像データを前記撮影日時情報が表す撮影日時の前後関係に基づいて新しい画像グループと古い画像グループとに分類する手順と、
少なくとも前記古い画像グループに属する画像データを、前記付帯情報に基づいて、階層構造を有する複数のグループに分類する第１分類を行う手順と、
前記新しい画像グループに属する画像データを、前記付帯情報に基づいて、前記第１分類よりも階層数の少ない階層構造を有するグループに分類する第２分類を行う手順とを有するコンピュータに実行させるためのプログラム。
【請求項１１】
前記新しい画像グループと古い画像グループとに分類する手順が、前記撮影日時が新しい順に所定数以内の画像データを新しい画像グループに、前記所定数を越えた部分の画像データを古い画像グループに分類する手順である請求項１０記載のプログラム。
【請求項１２】
前記新しい画像グループに分類されている画像データのうち、時間の経過に伴い前記撮影日時情報が表す撮影日時が、所定日時より前となった画像データを、古い画像グループに移行させる手順をさらにコンピュータに実行させる請求項１０記載のプログラムであって、
前記第１分類を行う手順が、前記移行された画像データを分類する手順であることを特徴とするプログラム。
【請求項１３】
付帯情報が付与された画像データから前記付帯情報を取得する手順と、
画像データの分類処理に伴って、該分類処理により初めて分類される画像データと前記分類処理の順番とを対応付けて特定する分類履歴情報を記憶する手順と、
該分類履歴情報に基づいて、最新の所定回数以内の分類処理によって初めて分類された画像データを新しい画像グループに、前記最新の所定回数の分類処理が行われる前に初めて分類された画像データを古い画像グループにそれぞれ分類する手順と、
少なくとも前記古い画像グループに属する画像データを前記付帯情報に基づいて階層構造を有する複数のグループに分類する第１分類を行う手順と、
前記新しい画像グループに属する画像データを前記付帯情報に基づいて前記第１分類よりも階層数の少ない階層構造を有するグループに分類する第２分類を行う手順とを有するコンピュータに実行させるためのプログラム。
【発明の詳細な説明】
【０００１】
【発明の属する技術分野】
本発明は、デジタルカメラ等により取得された画像データを分類する画像整理装置およびコンピュータに実行させるためのプログラムに関するものである。
【０００２】
【従来の技術】
従来からある銀塩写真フイルムを用いたプリントは、写り具合を見たり、友人に見せてコミュニケーションをとったり、焼き増しして友人に送ったり、大きく引き伸ばして飾ったり、アルバムに貼り付ける等、様々に活用されている。
【０００３】
その一方で、ネガフイルムに記録された画像を読み取ることにより取得された画像データあるいはデジタルカメラにより取得された画像データを用いて、画像を保管することが行われている。このような画像データを保管する際には、画像データの保管を行うユーザが、撮影日時やイベントに応じた複数のフォルダを作成し、画像の内容を確認しながらマニュアル操作により画像データを各フォルダに分類している。
【０００４】
しかしながら、画像データが増えるほど画像データの整理は非常に面倒な作業となる。とくにデジタルカメラの場合はフイルム料金がかからないため、大量の画像データが取得されることが多い。このため、画像データが記録されたメディア毎あるいは画像データを得たフイルム毎に画像データを分類する方法、年、月、日毎の階層フォルダに画像データを分類する方法等、画像データを自動的に分類する種々の方法が提案されている。また、画像データに付与された撮影時間や撮影日時を表す情報に基づいて、撮影日毎に画像データを分類する方法（特開平５−１６５９３５号公報、特開２００１−２２８５２８号公報）、撮影日時により分類した後に画像の類似度に応じてさらに細かく画像データを分類する方法が提案されている（特開２０００−１１２９９７号公報）。また、デジタルカメラにおいて取得された複数の画像データを、カメラの撮影時における姿勢毎、同一の時間情報を有する画像毎等に分類する方法（特開平６−１７８２６１号公報）や、撮影日に関連付けられた所定のイベント毎に分類する方法（特願２００２−０９６１４５号）等が提案されている。
【０００５】
このような画像データを自動的に分類する方法を用いることにより、ユーザは画像データを見易い形態で整理することができる。
【０００６】
【発明が解決しようとする課題】
ところで、ユーザは撮影したばかりの画像や取得して間もない画像をすぐに表示させたいと考えたり、またそれらの画像を短期間に頻繁に表示させたりすることが多く、従って、それらの画像を表す画像データについては、ユーザが面倒でなく瞬時に指定できる形態で分類されている方がよい。
【０００７】
しかしながら、これまでに提案されている上述の分類方法によれば、全ての画像データが一律に撮影日やフイルムまたはメディア、あるいはイベントといった項目に基づいて細分化した比較的深い階層構造で分類されてしまうため、たとえ上記のような早急な表示が望まれる画像や表示頻度の高い画像を表す画像データを指定する場合であっても、画像データを指定するまでに多くの階層をたどってゆかなければならず、所望の画像データを瞬時に指定できなかったり、また画像データを指定する度に多くの階層をたどるという面倒な作業を繰り返さなければならないという問題があった。
【０００８】
本発明は上記事情に鑑みなされたものであり、画像データを、検索および指定がより容易な形態で分類できる画像整理装置およびコンピュータに実行させるためのプログラムを提供することを目的とするものである。
【０００９】
【課題を解決するための手段】
本発明による第１の画像整理装置は、撮影日時情報を含む付帯情報が付与された画像データから付帯情報を取得する付帯情報取得手段と、画像データを撮影日時情報が表す撮影日時の前後関係に基づいて新しい画像グループと古い画像グループとに分類する新古分類手段と、少なくとも古い画像グループに属する画像データを、付帯情報に基づいて、階層構造を有する複数のグループに分類する第１の画像分類手段と、新しい画像グループに属する画像データを、付帯情報に基づいて、第１の画像分類手段による分類よりも階層数の少ない階層構造を有するグループに分類する第２の画像分類手段とを備えたことを特徴とするものである。
【００１０】
なお、付帯情報は、画像データがデジタルカメラにより取得されたものである場合には、デジタルカメラにおいて画像データに付与される。一方、画像データがフイルム等に記録された画像をスキャナ等の読取手段により読み取ることにより得られたものである場合には、読取手段において画像データが付与される。
【００１１】
本発明による第１の画像整理装置において、新古分類手段は、撮影日時が新しい順に所定数以内の画像データを新しい画像グループに、所定数を越えた部分の画像データを古い画像グループに分類するものとしてもよい。
【００１２】
また、本発明による第１の画像整理装置において、新古分類手段は、撮影日時情報が表す撮影日時が所定日時以降の画像データを新しい画像グループに、撮影日時情報が表す撮影日時が前記所定日時より前の画像データを古い画像グループに分類するものとしてもよい。
【００１３】
この場合、現在日時を表す現在日時情報を取得する現在日時情報取得手段をさらに備え、上記所定日時を、現在日時から所定時間前の日時としてもよい。
【００１４】
また、本発明による第１の画像整理装置において、新しい画像グループに分類されている画像データのうち、時間の経過に伴い撮影日時が所定日時より前となった画像データを、古い画像グループに移行させる画像データ移行手段をさらに備え、第１の画像分類手段は、画像データ移行手段により移行された画像データを、階層構造を有する複数のグループに分類するものとしてもよい。
【００１５】
本発明による第２の画像整理装置は、付帯情報が付与された画像データから付帯情報を取得する付帯情報取得手段と、画像データの分類処理に伴って、当該分類処理により初めて分類される画像データと上記分類処理の順番とを対応付けて特定する分類履歴情報を記憶する分類履歴情報記憶手段と、その分類履歴情報に基づいて、最新の所定回数以内の分類処理によって初めて分類された画像データを新しい画像グループに、最新の所定回数の分類処理が行われる前に初めて分類された画像データを古い画像グループにそれぞれ分類する新古分類手段と、少なくとも古い画像グループに属する画像データを付帯情報に基づいて階層構造を有する複数のグループに分類する第１の画像分類手段と、新しい画像グループに属する画像データを付帯情報に基づいて第１の画像分類手段による分類よりも階層数の少ない階層構造を有するグループに分類する第２の画像分類手段とを備えたことを特徴とするものである。
【００１６】
本発明による第１および第２の画像整理装置においては、第２の画像分類手段は、新しい画像グループに属する画像データを、単一階層構造を有するグループに分類するものとしてもよい。
【００１７】
また、付帯情報に関連した関連情報を取得する関連情報取得手段をさらに備え、第１の画像分類手段および第２の画像分類手段は、画像データを、付帯情報に加え関連情報にも基づいて、分類するものとしてもよい。
【００１８】
付帯情報は、撮影日時情報、撮影条件、撮影場所、画像のサイズ、被写体の種類、被写体の固有名称、被写体の個数、イベント、コメントのうち少なくとも１つを含むものとしてもよい。
【００１９】
「撮影条件」とは、撮影したときの撮影装置の各種設定や天候などを表すものであり、例えば、シャッタースピード「１／１２５秒」、絞り値「ｆ１１」などのほか天候「曇り」などが挙げられる。
【００２０】
「画像のサイズ」とは、画像の縦横比や画素数などを表すものであり、例えば、「６４０×４００」などが挙げられる。
【００２１】
「被写体の種類」とは、人間、山、海、建築物などの種類を表すものである。
【００２２】
「被写体の固有名称」とは、被写体が人間である場合には、「吉田」「田中」などの人物名、被写体が山や海である場合には、「高尾山」「三浦海岸」などの名称を表すものである。
【００２３】
「被写体の個数」とは、被写体が人間である場合には、写っている人間の数を表すものである。
【００２４】
「コメント」とは、撮影者などのユーザが、画像データに対して付与する画像に関連した任意の単語や文章などを表すものであり、例えば、「愛犬シロの散歩」や「晴男の初めてのプール体験」などとすることができる。
【００２５】
また、「関連情報」としては、撮影日時と所定のイベントとを対応付けたイベント情報等が挙げられる。
【００２６】
「所定のイベント」としては、例えば、ゴールデンウィーク、年末年始、暦上の連休、週末の土日、夏休み、個人的な休暇、個人的な行事等が挙げられる。
【００２７】
なお、本発明の各手段をコンピュータに実行させるプログラムとして供給してもよい。
【００２８】
なお、画像データは、静止画像を表すデータのみならず、動画を表すデータであってもよく、さらに音声を表す音声情報を含むものであってもよい。
【００２９】
【発明の効果】
上述のように構成された本発明の第１の画像整理装置によれば、画像データから撮影日時情報を含んだ付帯情報が取得され、撮影日時情報に基づいて、画像データが新しい画像グループと古い画像グループに分類され（以下、新古の分類という）、古い画像グループに属する画像データは付帯情報に基づいて階層構造を有する複数のグループに分類され、新しい画像グループに属する画像データは付帯情報に基づいて古い画像グループの分類より少ない階層構造を有するグループに分類されるので、あまり使用されないと思われる撮影日時が比較的古い画像データに対しては、見易さを優先した階層構造を有する形態で分類し、一方、早急な使用が求められる、あるいは頻繁に使用されると思われる撮影日時が比較的新しい画像データに対しては、指定のし易さを優先したより浅い階層構造を有する形態で分類できる。
【００３０】
また、新古分類手段が、撮影日時が新しい順に所定数内の画像データを新しいグループに、所定数を越えた部分の画像データを古い画像グループに分類するものとすれば、画像データを、最近撮影された所定数以内のものであるか否かを基準に新古の分類を行うので、画像データの数を重視した新古の分類を行うことができる。
【００３１】
また、新古分類手段が、撮影日時情報が表す撮影日時が、所定日時以降の画像データを新しい画像グループに、所定日時より前の画像データを古い画像グループに分けて分類するものとすれば、画像データを、その撮影日時に対して所定日時を境に新古の分類を行うので、撮影日時を重視した新古の分類を行うことができる。
【００３２】
さらに、その所定日時を現在日時より所定時間前とすれば、画像データは、撮影日時が現在日時から一定期間内であるかを基準に新古の分類が行われるので、分類を行う時点での新しい／古いといったユーザの感覚に合った基準で画像データを分類することができる。
【００３３】
また、新しい画像グループに分類されている画像データのうち、時間の経過に伴い撮影日時が所定日時より前となった画像データを、古い画像グループに移行させ、第１の画像分類手段が、移行された画像データを分類するものとすれば、時間の経過によって古くなった画像データが、自動的に古い画像グループに移行されて分類されるので、各画像データが適した画像グループに属し、適した構造で分類されている状態を常に保つことができる。
【００３４】
上述のように構成された本発明の第２の画像整理装置によれば、画像データから付帯情報が取得される一方、画像データの分類処理に伴って、その分類処理により初めて分類される画像データとその分類処理の順番とを対応付けて特定する分類履歴情報に基づいて、最新の所定回数以内の分類処理によって初めて分類されたものであるか否かを基準に新古の分類が行われ、古い画像グループに属する画像データは付帯情報に基づいて階層構造を有する複数のグループに分類され、新しい画像グループに属する画像データは付帯情報に基づいて古い画像グループの分類より少ない階層構造を有するグループに分類されるので、画像データの分類された順番および数を重視した新古分類を行うことができ、また、あまり使用されないと思われる初めて分類した時期が比較的古い画像データに対しては、見易さを優先した階層構造を有する形態で分類し、一方、早急な使用が求められる、あるいは頻繁に使用されると思われる初めて分類した時期が比較的新しい画像データに対しては、指定のし易さを優先したより浅い階層構造を有する形態で分類できる。
【００３５】
第１および第２の画像整理装置において、新しい画像グループに属する画像データを、単一階層構造を有するグループに分類するものとすれば、新しい画像グループに属する画像データを指定する際に、複数の階層をたどる必要がないので、比較的新しい画像に対して、より指定し易くなり、単一操作による画像データの指定も可能となる。
【００３６】
また、第１および第２の画像整理装置において、付帯情報として、撮影日時情報、撮影条件、撮影場所、画像サイズ、被写体の種類、被写体の固有名称、被写体の個数、イベント、コメントのうち少なくとも１つを含むものとすれば、デジタルカメラやビデオカメラ等の撮影機器によって撮影された画像もしくは動画を表す画像データに適した分類を行うことができる。
【００３７】
また、第１および第２の画像整理装置において、付帯情報と関連した関連情報を取得し、新古の分類が行われた画像データを、付帯情報に加えて関連情報にも基づいて分類するようにすれば、より分類の自由度を広げることができる。
【００３８】
なお、本発明の各手段をコンピュータに実行させるプログラムとして供給する場合であっても、同様の効果が得られる。
【００３９】
【発明の実施の形態】
以下、本発明の実施形態について図面に基づいて説明する。
【００４０】
図１は本発明の第１の画像整理装置を適用した第１の実施形態による画像保管システムの構成を示す概略ブロック図である。図１に示す第１の実施形態による画像保管システムは、ユーザ１が有するパソコン１０と、本発明による画像整理装置を有する画像保管サーバ２との間でデータのやり取りを行うものである。なお、ユーザ１のパソコン１０と画像保管サーバ２とはネットワーク３を介して接続されている。
【００４１】
ユーザ１は、ユーザ１が有するデジタルカメラ１１により画像データＳ０を取得し、これをメモリカード１２に記録する。そして、パソコン１０において画像データＳ０が記録されたメモリカード１２から画像データＳ０を読み出して、パソコン１０のハードディスクに一旦保管する。そして、画像データＳ０の整理を依頼する際には、ネットワーク３経由で画像保管サーバ２に画像データＳ０を送信する。
【００４２】
ここで、デジタルカメラ１１においては、画像データＳ０の取得時に、撮影日時を表す撮影日時情報が画像データＳ０のタグ情報Ｔ０に記述される。
【００４３】
パソコン１０には、画像データＳ０を閲覧するためのビューアーソフトおよび汎用のウェブブラウザがインストールされている。ユーザ１はビューアーソフトを用いて、デジタルカメラ１１において取得した画像データＳ０を閲覧することができる。また、ウェブブラウザを用いて画像保管サーバ２に接続し、画像データＳ０の整理の依頼を画像保管サーバ２に対して行うことができる。なお、ユーザ１が画像データＳ０の整理を画像保管サーバ２に依頼する際には、画像データＳ０がネットワーク３経由で画像保管サーバ２に送信される。この際、ユーザ１を特定するためのユーザ情報も画像保管サーバ２に送信される。なお、画像データＳ０のタグ情報Ｔ０にユーザ情報を記述しておいてもよい。
【００４４】
画像保管サーバ２は、画像データＳ０および後述するサムネイル画像データＳＴ０や画像データＳ０の整理結果を表す情報を保管するハードディスク、ＲＡＩＤ等の保管データベース２１と、ユーザ情報等種々の情報を記憶した情報データベース２２（図示せず）と、本発明の第１の実施形態による画像整理手段４と、保管データベース２１に保管された種々の情報をネットワーク３経由で閲覧可能とするためのウェブサーバ２３と、画像データＳ０により表される画像のサムネイル画像を表すサムネイル画像データＳＴ０を作成するサムネイル画像作成手段２４とを備える。
【００４５】
なお、本実施形態においては、保管データベース２１には、画像データＳ０、サムネイル画像データＳＴ０および分類情報Ｂ０が保管される。また、画像保管サーバ２においては、上記処理を実施する各手段に代えて各処理を実施するソフトウェアにより各処理を行うようにしてもよい。
【００４６】
画像整理手段４は、画像データＳ０の入力を受け付ける画像データ入力手段４１と、画像データＳ０に付与されたタグ情報Ｔ０を読み取るタグ情報読取手段４２と、タグ情報Ｔ０に記述された撮影日時情報に基づいて画像データＳ０を新しい画像グループと古い画像グループに分類する新古分類手段４３と、古い画像グループに属する画像データＳ０１をタグ情報Ｔ０に基づいて階層構造を有する複数のグループに分類して画像データＳ０１の分類結果を表す第１分類情報Ｂ０１を生成する第１画像分類手段４４と、新しい画像グループに属する画像データＳ０２をタグ情報Ｔ０に基づいて第１画像分類手段４４による分類よりも階層数の少ない階層構造を有するグループに分類して画像データＳ０２の分類結果を表す第２分類情報Ｂ０２を生成する第２画像分類手段４４とを備える。
【００４７】
画像データ入力手段４１は、パソコン１０から送信された複数の画像データＳ０を受信する通信インターフェースからなる。
【００４８】
画像整理手段４は、本実施例において、画像データＳ０に付与されたタグ情報Ｔ０に記述された撮影日時情報に基づいて、複数の画像データＳ０を、撮影日時が新しい順に所定数３０個以内のものを新しい画像グループに、その他を古い画像グループに分類し、古い画像グループに属する画像データＳ０１に対しては、タグ情報Ｔ０に記述された撮影日時情報が表す撮影日時に応じて、複数の階層に分けて分類し、新しい画像グループに属する画像データＳ０２に対しては、上記の撮影日時に応じて、単一の階層で分類するものとする。
【００４９】
図２は複数の画像データＳ０の分類を説明するための図である。図２に示すように、ユーザ１は、２００１年の１／２０，１／２７，４／１０，４／１５，４／１６、２００２年の３／２，３／３１，４／１の各日に１０回ずつ撮影を行い、計８０個の画像データＳ０を取得したものとする。取得した各画像データＳ０には、撮影日時情報がタグ情報Ｔ０に記述されているため、タグ情報Ｔ０の撮影日時情報を参照することにより画像データＳ０の撮影日を特定することができる。
【００５０】
したがって、新古分類手段４３は、撮影日時情報を参照することにより、撮影日が若い順に３０個、つまり２００２年の４／１，３／３１，３／２に撮影して取得した画像データを新しい画像グループに、残りの画像データを古い画像グループに分類し、第１画像分類手段は、古い画像グループに属する画像データＳ０１を、「年」を表す階層の下に「月」を表す階層を設け、さらに「月」を表す階層の下に「日」を表す階層を設け、それぞれの撮影日に対応するグループに分類し、また第２画像分類手段は、新しい画像グループに属する画像データＳ０２を、「年月日」を表す単一の階層を設け、それぞれの撮影年月日に対応するグループに分類する。より具体的には、「年」、「月」、「日」および「年月日」を表すフォルダを作成し、画像データを対応する各撮影日毎に分類する。
【００５１】
第１画像分類手段４４および第２画像分類手段４５は、このように画像データＳ０１およびＳ０２を分類することによりそれぞれの分類結果を表す分類情報Ｂ０１およびＢ０２（合わせて分類情報Ｂ０とする）を生成する。そしてこのような分類情報Ｂ０を参照することにより、画像データＳ０を撮影日毎に分類することができる。
【００５２】
図３は画像データＳ０の分類結果を示す図である。図３に示すように、古い画像グループに属する画像データＳ０１に対しては、「２００１年」というタイトルのフォルダが作成され，その下位に「１月」，「４月」というタイトルのフォルダが作成され、さらに「１月」フォルダの下位に「２０日」，「２７日」というタイトルのフォルダ、「４月」フォルダの下位に「１０日」，「１５日」，「１６日」というタイトルのフォルダが作成されている。また、新しい画像グループに属する画像データＳ０２に対しては、「２００２年３月２日」，「２００２年３月３１日」，「２００２年４月１日」というタイトルのフォルダが作成されている。なお、画像データＳ０１は最下層のフォルダに分類され、画像データＳ０２は単一階層のフォルダにそのまま分類されることとなる。なお、これらのフォルダは撮影日時が古いものから順に並べられる。また、各フォルダ内においては、画像データＳ０は撮影日時が古いものから順に並べられる。
【００５３】
なお、分類結果を表示する際には、分類情報Ｂ０を参照することによりサムネイル画像データＳＴ０を用いて画像データＳ０が分類された状態が示される。
【００５４】
次いで、第１の実施形態の動作について説明する。図４は、第１の実施形態において行われる処理を示すフローチャートである。
【００５５】
まず、ユーザ１のパソコン１０から、ユーザ１がデジタルカメラ１１により取得した複数の画像データＳ０がネットワーク３経由で画像保管サーバ２に送信されると、画像保管サーバ２において画像データ入力手段４１により画像データＳ０が受信される（ステップＳ１）。そして、画像データＳ０が保管データベース２１に保管されるとともに（ステップＳ２）、サムネイル画像作成手段２４により画像データＳ０からサムネイル画像データＳＴ０が作成されて（ステップＳ３）、サムネイル画像データＳＴ０も保管データベース２１に保管される（ステップＳ４）。
【００５６】
一方、タグ情報読取手段４２においては画像データＳ０に付与されたタグ情報Ｔ０が読み取られ（ステップＳ５）、新古分類手段４３、第１画像分類手段４４および第２画像分類手段４５へと順に経由してまたは直接入力される。新古分類手段４３においてはタグ情報Ｔ０に記述された撮影日時情報に基づいて、上述したように画像データＳ０が新しい画像グループと古い画像グループとに分類され（ステップＳ６）、第１画像分類手段４４においては古い画像グループに属する画像データＳ０１が、タグ情報Ｔ０に記述された撮影日時情報が表す撮影日時に応じて、階層構造を有する複数のグループに分類されて分類情報Ｂ０１が生成され（ステップＳ７）、第２画像分類手段においては新しい画像グループに属する画像データＳ０２が、上記撮影日時に応じて、単一階層のグループに分類されて分類情報Ｂ０２が生成される（ステップＳ８）。分類情報Ｂ０１，Ｂ０２からなる分類情報Ｂ０は保管データベース２１に保管され（ステップＳ９）、処理を終了する。
【００５７】
なお、ステップＳ２の処理、ステップＳ３および４の処理並びにステップＳ５からステップＳ９の処理の順序は任意なものであり、各処理を並列に行ってもよいものである。
【００５８】
ユーザ１はパソコン１０によりウェブサーバ２３にアクセスし、自身が送信した画像データＳ０の分類結果を表示させる操作を行うと、分類情報Ｂ０が参照されて画像データＳ０の分類結果がパソコン１０に表示される。
【００５９】
図５はパソコン１０に表示された画像データＳ０の分類結果を示す図である。図５に示すように、分類結果は分類結果表示画面５０としてパソコン１０に表示される。画面左側５０ＬＵおよび５０ＬＤは分類結果のフォルダ構造を示し、画面右側５０Ｒは各フォルダに分類された画像の代表画像のサムネイル画像がフォルダに付与された状態で表示されている。画面左上側５０ＬＵは古い画像グループに属する画像データの分類結果、画面左下側５０ＬＤは新しい画像グループに属する画像データの分類結果を表す。ユーザ１は画面右側５０Ｒのフォルダをクリックすることにより、各フォルダに保管された画像データＳ０のサムネイル画像をパソコン１０に表示することができる。なお、図５においては、「２００２年４月１日」フォルダに分類されたサムネイル画像が表示された状態を示している。
【００６０】
また、図５に示すように、各フォルダには各フォルダの名称がタイトルとして表示されている。
【００６１】
なお、画像データＳ０が誤って分類されている場合には、分類結果を変更する必要がある。この場合、ユーザ１はパソコン１０を用いてサムネイル画像の分類先のフォルダを変更することにより、そのサムネイル画像を得た画像データＳ０の分類先のフォルダを変更することができる。具体的には、サムネイル画像をドラッグアンドドロップして所望とするフォルダにサムネイル画像を移動させることにより、サムネイル画像を得た画像データＳ０の分類先のフォルダを変更することができる。なお、変更結果はパソコン１０からウェブサーバ２３に送信され、ウェブサーバ２３においてユーザによる変更結果に応じて分類情報Ｂ０が修正されることとなる。
【００６２】
また、ユーザ１はパソコン１０からウェブサーバ２３にアクセスすることにより上記図５に示す分類結果表示画面を表示することができるが、携帯電話やＰＤＡ等の携帯端末装置からウェブサーバ２３にアクセスして分類結果の表示を所望する場合がある。ここで携帯端末装置においては表示画面が小さいことから、携帯端末装置に応じた分類結果表示画面を生成して携帯端末装置において分類結果を表示することが好ましい。例えば、フォルダの代表画像を省略したり、図５に示す画面左側５０ＬＵおよび５０ＬＤのフォルダ構造のみを表示したりすることが好ましい。
【００６３】
このように、第１の実施形態においては、画像データＳ０に付与されたタグ情報Ｔ０から撮影日時情報を取得し、撮影日時情報に基づいて、画像データＳ０を撮影日時が若い順に所定数内であるか否かを基準として、新しい画像グループと古い画像グループとに分類し、古い画像グループに属する画像データＳ０１を、階層構造を有する複数のグループに分類し、新しい画像グループに属する画像データＳ０２を、単一階層を有するグループに分類するようにしたため、あまり使用されないと思われる撮影日時の比較的古い画像データに対しては、見易さを優先した階層構造を有する形態で分類し、早急な表示が求められる、あるいは使用頻度が高いと思われる撮影日時の比較的新しい画像データに対しては、指定のし易さを優先した単一階層構造を有する形態で分類することができる。
【００６４】
なお、上記第１の実施形態においては、画像データＳ０、サムネイル画像データＳＴ０および分類情報Ｂ０を保管データベース２１に保管しているが、画像保管サーバ２とネットワーク接続された他の保管データベースに画像データＳ０、サムネイル画像データＳＴ０および分類情報Ｂ０を保管してもよい。また、画像データＳ０、サムネイル画像データＳＴ０および分類情報Ｂ０をそれぞれ異なる保管データベースに保管してもよい。
【００６５】
次いで、本発明の第１の画像整理装置を適用した第２の実施形態による画像保管システムについて説明する。上記第１の実施形態においては、画像データＳ０を、撮影日時が若い順に所定数内のものであるか否かを基準として新しい画像グループと古い画像グループとに分類しているが、第２の実施形態においては、画像データＳ０を、撮影日時が所定日時以降のものか否かを基準として分類するようにしたものである。上記所定日時は、時間の経過とは無関係に固定された日時を設定してもよいが、本実施例においては、撮影日時が現在日時から所定時間（期間）前の日時以降のものであるか否か、すなわち、過去の一定期間内のものであるか否かを基準として新しい画像グループと古い画像グループとに分類するようにしている。このため、第２の実施形態においては、図６に示すように画像整理手段４は、現在日時を表す現在日時情報を取得する現在日時情報取得手段４６をさらに備えた構成となっている。
【００６６】
現在日時情報取得手段４６においては、例えば、画像保管サーバ２が有する時計機能を利用して、現在日時を表す現在日時情報を取得し、取得した現在日時情報を新古分類手段４３に送る。
【００６７】
次いで、第２の実施形態の動作について説明する。図７は、第２の実施形態において行われる処理を示すフローチャートである。
【００６８】
まず、ユーザ１のパソコン１０から、ユーザ１がデジタルカメラ１１により取得した複数の画像データＳ０がネットワーク３経由で画像保管サーバ２に送信されると、画像保管サーバ２において画像データ入力手段４１により画像データＳ０が受信される（ステップＳ１１）。そして、画像データＳ０が保管データベース２１に保管されるとともに（ステップＳ１２）。サムネイル画像作成手段２４により画像データＳ０からサムネイル画像データＳＴ０が作成されて（ステップＳ１３）、サムネイル画像データＳＴ０も保管データベース２１に保管される（ステップＳ１４）。
【００６９】
一方、タグ情報読取手段４２においては画像データＳ０に付与されたタグ情報Ｔ０が読み取られ（ステップＳ１５）、新古分類手段４３、第１画像分類手段４４および第２画像分類手段４５へと順に経由してまたは直接入力される。また現在日時情報取得手段４６においては現在日時を表す現在日時情報が取得され（ステップＳ１６）、新古分類手段４３に入力される。新古分類手段４３においてはタグ情報Ｔ０に記述された撮影日時情報および現在日時情報が参照されて、画像データＳ０が、撮影日時が現在日時から過去の一定期間内のものか否かを基準として新しい画像グループと古い画像グループとに分類され（ステップＳ１７）、第１画像分類手段４４においては、古い画像グループに属する画像データＳ０１が、タグ情報Ｔ０に記述された撮影日時情報が表す撮影日時に応じて、階層構造を有する複数のグループに分類されて分類情報Ｂ０１が生成され（ステップＳ１８）、第２画像分類手段４５においては、新しい画像グループに属する画像データＳ０２が、上記撮影日時に応じて、単一階層のグループに分類されて分類情報Ｂ０２が生成される（ステップＳ１９）。分類情報Ｂ０１，Ｂ０２からなる分類情報Ｂ０は保管データベース２１に保管され（ステップＳ１Ａ）、処理を終了する。
【００７０】
このように、第２の実施形態においては、画像データＳ０を、タグ情報Ｔ０に記述された撮影日時情報および現在日時情報に基づいて、撮影日時が現在日時から過去の一定期間内のものか否かを基準として、新しい画像グループと古い画像グループとに分類するようにしたため、分類を行う時点での新しい／古いといったユーザの感覚に合った基準で画像データを分類することができる。
【００７１】
例えば、ユーザ１がデジタルカメラ１１による撮影をあまり頻繁に行なわず、これまでに、２０００年１月に１０回、２００１年７月に１０回、２００１年１２月に１０回、計３０回の撮影を行い３０個の画像データを取得したとして、２００２年の１月に画像データの分類を行い、第１の実施形態のように、撮影日時が新しい順に３０個を新しい画像グループとして分類するような場合には、これまでに撮影した全ての画像データが新しい画像グループに属してしまい、ユーザの新しい／古いといった感覚とは合わず、かえって画像データの指定し難い分類がされてしまう。そこで、第２の実施形態のように、撮影日時が現在日時から過去の一定期間内、例えば、過去３ヶ月以内のものを新しい画像グループとして分類するようにすれば、最近撮影された画像、つまり２００１年１２月に撮影された画像を表す１０個の画像データのみが新しい画像グループに属し、ユーザの感覚に合った、指定しやすい形態で分類される。
【００７２】
次いで、本発明の第１の画像整理装置を適用した第３の実施形態による画像保管システムについて説明する。第３の実施形態においては、第２の実施形態において、さらに新しい画像グループに属する画像データＳ０２のうち、時間の経過に伴って撮影日時が現在日時から過去の一定期間を越えてしまった画像データを、古い画像グループに移行し、第１画像分類手段４４が、移行された画像グループを、階層構造を有する複数のグループに分類するようにしたものである。このため、第３の実施形態においては、図８に示すように画像整理手段４は、上記現在日時情報取得手段４６とともに、新しい画像グループに分類されている画像データＳ０２のうち、時間の経過に伴い撮影日時が現在日時から過去一定期間を超えた画像データを、古い画像グループに移行する画像データ移行手段４７をさらに備えた構成となっている。
【００７３】
画像データ移行手段４７においては、例えば、現在日時情報取得手段４６により取得された現在日時情報に基づいて、現在日時を常にモニタしておき、新しい画像グループに属する画像データのタグ情報Ｔ０に記述された撮影日時情報に基づいて、撮影日時が現在日時から過去一定期間を超えた画像データを古い画像グループに移行する。また、第１画像分類手段４４は、移行された画像データを、その画像データのタグ情報Ｔ０に基づいて階層構造を有する複数のグループに分類する。
【００７４】
次いで、第３の実施形態の動作について説明する。図９は、第３の実施形態において行われる処理を示すフローチャートである。なお、第３の実施形態において、画像データＳ０が画像保管サーバ２に送信され、分類情報Ｂ０が保管データベース２１に保管されるまでの一連の処理は既に行われているものとする。
【００７５】
まず、画像データ移行手段において保管データベース２１に保管されている分類情報Ｂ０を読み取り（ステップＳ２１）、現在日時情報取得手段４７において現在日時情報が取得され、画像データ移行手段４７に送られる（ステップＳ２２）。画像データ移行手段４７においては、分類情報Ｂ０により特定される新しい画像グループに属する画像データＳ０２について、画像データＳ０２に付与されたタグ情報Ｔ０に記述された撮影日時情報が表す撮影日時と現在日時情報が表す現在日時とが比較され、撮影日時が現在日時から過去一定期間を超えた、いわゆる古くなった画像データが検出される（ステップＳ２３）。古くなった画像データが検出された場合は、検出された古くなった画像データが古い画像グループに移行され（ステップＳ２４）、第１画像分類手段４４において、移行された画像データをタグ情報Ｔ０に基づいて階層構造を有する複数のグループに分類する（ステップＳ２５）。
【００７６】
なお、上記処理フロー（ステップＳ２１からＳ２５）は、定期的に行われるよう画像保管サーバ側で設定されていてもよいし、ユーザ１がネットワーク３を介して画像保管サーバ２に接続する毎に保管データベース２１に保管されている分類情報Ｂ０を読み出し、分類情報Ｂ０に基づいて処理を行うようにしてもよい。
【００７７】
このように、第３の実施形態においては、新しい画像グループに分類されている画像データＳ０２のうち、時間の経過に伴い撮影日時が所定日時より前となった、すなわち、撮影日時が現在日時から過去一定期間を超えた画像データを、古い画像グループに移行させ、第１画像分類手段４４において、移行された画像データが古い画像グループに属する画像データとして分類されるようにしたため、時間の経過によって古くなった画像データが、自動的に古い画像グループに移行されて分類され、各画像データが適した画像グループに属し、適した構造で分類されている状態を常に保つことができる。
【００７８】
次いで、本発明の第２の画像整理装置を適用した第４の実施形態による画像保管システムについて説明する。上記第１〜第３の実施形態においては、画像データＳ０を撮影日時情報が表す撮影日時の前後関係によって新しい画像グループと古い画像グループとに分類しているが、第４の実施形態においては、画像データＳ０を、分類処理に伴って、その分類処理により初めて分類される画像データとその分類処理の順番を対応付けて特定する分類履歴情報に基づいて、最新の所定回数以内の分類処理によって初めて分類されたものであるか否かを基準に新しい画像グループと古い画像グループとに分類するようにしたものである。このため、第４の実施形態においては、図１０に示すように画像整理手段４が、画像データの分類処理に伴って、その分類処理により初めて分類される画像データとその分類処理の順番とを対応付けて特定する分類履歴情報を記憶する分類履歴情報記憶手段４８を備えた構成となっている。なお、画像データＳ０に付与されるタグ情報Ｔ０には、撮影日時情報が必ずしも記述されている必要はないが、本実施例においては、第１〜第３の実施形態同様、タグ情報に撮影日時情報が記述されているものとする。
【００７９】
分類履歴情報記憶手段４８においては、例えば、分類処理の実施カウント数と、そのときの分類対象の中で初めて分類された画像データのファイル名を対応付けて記述した情報が分類履歴情報として記憶される。なお、分類履歴情報は、過去の全ての分類処理について記憶しておく必要はなく、少なくとも最新の所定回数の分類処理について記憶しておけばよい。
【００８０】
次いで、第４の実施形態の動作について説明する。図１１は、第４の実施形態において行われる処理を示すフローチャートである。
【００８１】
まず、ユーザ１のパソコン１０から、ユーザ１がデジタルカメラ１１により取得した複数の画像データＳ０がネットワーク３経由で画像保管サーバ２に送信されると、画像保管サーバ２において画像データ入力手段４１により画像データＳ０が受信される（ステップＳ３１）。そして、画像データＳ０が保管データベース２１に保管されるとともに（ステップＳ３２）。サムネイル画像作成手段２４により画像データＳ０からサムネイル画像データＳＴ０が作成されて（ステップＳ３３）、サムネイル画像データＳＴ０も保管データベース２１に保管される（ステップＳ３４）。
【００８２】
一方、タグ情報読取手段４２においては画像データＳ０に付与されたタグ情報Ｔ０が読み取られ（ステップＳ３５）、第１画像分類手段４４、第２画像分類手段４５へと順に経由してまたは直接入力される。また分類履歴情報記憶手段４８において記憶されている分類履歴情報が、新古分類手段４３に入力される（ステップＳ３６）。新古分類手段４３においては分類履歴情報が参照されて、画像データＳ０が、最新の所定回数以内の分類処理によって初めて分類されたものは新しい画像グループに、その他のものは古い画像グループに分類され（ステップＳ３７）、第１画像分類手段４４においては、古い画像グループに属する画像データＳ０１が、タグ情報Ｔ０に記述された撮影日時情報が表す撮影日時に応じて、階層構造を有する複数のグループに分類されて分類情報Ｂ０１が生成され（ステップＳ３８）、第２画像分類手段４５においては、新しい画像グループに属する画像データＳ０２が、上記撮影日時に応じて、単一階層のグループに分類されて分類情報Ｂ０２が生成される（ステップＳ３９）。分類情報Ｂ０１，Ｂ０２からなる分類情報Ｂ０は保管データベース２１に保管され（ステップＳ３Ａ）、処理を終了する。なお、最新の所定回数以内の分類処理によって初めて分類された画像データとしては、過去に分類したものに限らず、今回の分類処理により初めて分類される画像データを、最も最近の分類処理によって分類されたものとして含めるものとする。
【００８３】
このように、第４の実施形態においては、画像データの分類された順番および数を重視して、画像データＳ０を新しい画像グループと古い画像グループとに分類することができ、また、あまり使用されないと思われる初めて分類した時期が比較的古い画像データに対しては、見易さを優先した階層構造を有する形態で分類し、一方、早急な使用が求められる、あるいは頻繁に使用されると思われる初めて分類した時期が比較的新しい画像データに対しては、指定のし易さを優先した単一階層構造を有する形態で分類できる。
【００８４】
例えば、数年前にデジタルカメラで撮影して取得した比較的古い画像データを譲り受け、既に分類されている画像データと合わせて再度分類させるような場合、撮影日時の前後関係に基づいて、新しい画像グループと古い画像グループとに分類すると、譲り受けた画像データはユーザが最近入手した新規の画像データであるにも拘らず、撮影日時そのものは比較的古いために、古い画像グループに分類されてしまうおそれがある。ここで、第４の実施形態のように、分類履歴情報に基づいて、最新の所定回数以内の分類処理によって初めて分類された画像データを新しい画像グループに分類するようにすれば、このような問題を回避できる。
【００８５】
なお、上記第１から第４の実施形態においては、第１画像分類手段４４および第２画像分類手段４５により、画像データを、タグ情報Ｔ０に記述された撮影日時情報に基づいて分類しているが、その他の情報として、例えば、撮影条件、撮影場所、画像サイズ、被写体の種類、被写体の固有名称、被写体の個数、イベント、コメントなどがタグ情報Ｔ０に記述されている場合は、これらの情報に基づいて分類することもできる。
【００８６】
また、上記第１から第４の実施形態においては、画像整理手段４は、タグ情報Ｔ０と関連付けられた関連情報を取得する関連情報取得手段４９をさらに備え、第１画像分類手段４４および第２画像分類手段４５により、画像データを、タグ情報Ｔ０に加え、関連情報にも基づいて分類するようにしてもよい。例えば、情報データベース２２に上記関連情報として撮影日時と１以上のイベント（例えば、ゴールデンウィーク、年末年始、暦上の連休、週末の土日、夏休み、個人的な休暇、個人的な行事等）とを対応付けたカレンダー情報Ｃ０が記録されているものとし、タグ情報読取手段４２が画像データＳ０からタグ情報Ｔ０を読み取り、関連情報取得手段４９がカレンダー情報Ｃ０を取得し、第１画像分類手段４４および第２画像分類手段４５は、画像データＳ０を、タグ情報Ｔ０に記述された撮影日時情報およびカレンダー情報Ｃ０に基づいて、イベント毎のグループに分類して画像データＳ０の分類結果を表す分類結果情報Ｂ０を生成するようにしてもよい。
【００８７】
また、上記第１から第４の実施形態においては、第１画像分類手段４４は古い画像グループに属する画像データのみを比較的深い構想構造を有する複数のグループに分類しているが、別の形態として、古い画像グループに属する画像データだけでなく新しい画像グループに属する画像データをも含めて、つまり全ての画像データを、比較的深い構想構造を有する複数のグループに分類するようにしてもよい。そのようにすることで、第２画像分類手段４５による新しい画像グループに属する画像データの指定し易い分類結果が得られるその一方で、画像データＳ０全体が比較的深い階層構造を有する複数のグループに分類された分類結果も見ることができ、画像データＳ０全体を細かく把握することや、その分類結果から新しい画像グループに属する画像データをも指定できるという効果がある。
【００８８】
なお、上記第１から第４の実施形態においては、ユーザ１がパソコン１０から画像保管サーバ２に画像データＳ０を送信し、画像保管サーバ２において画像データＳ０の分類を行っているが、画像の分類を行うためのソフトウェアをパソコン１０にインストールし、ユーザ１が自身のパソコン１０において画像データＳ０の分類を行うようにしてもよい。
【００８９】
この場合、パソコン１０には、画像データＳ０をフォルダ毎に分類して保管してもよいが、分類情報Ｂ０のみを保管し、分類結果の表示時に分類情報Ｂ０を参照して画像データＳ０のサムネイル画像データＳＴ０のみを用いて、分類結果を表示してもよい。
【００９０】
また、上記第１から第４の実施形態においては、ユーザ１がデジタルカメラ１１において取得した画像データＳ０の分類を行っているが、画像データＳ０はデジタルカメラ１１において取得されたものに限定されるものではなく、ネガフイルム等に記録された画像を読み取ることにより得られたものであってもよいし、静止画像だけでなく動画を表すものや音声情報を含んだものであってもよい。
【００９１】
ネガフイルム等に記録された画像を読み取る場合、撮影日時情報は、画像に映し込まれた日付を読み取って文字認識を行うことにより取得して、画像データＳ０のタグ情報に記述することができる。また、撮影場所情報およびユーザ情報については、画像データＳ０の読み取り時に入力されたものを用いることができる。
【００９２】
ここで、画像の読み取りは、ユーザ１自身が有するスキャナにより行ってもよいが、ユーザ１が画像保管サーバ２を管理するラボに画像の読み取りを依頼し、ラボにおいて画像の読み取りを行うようにしてもよい。
【００９３】
なお、フイルムが磁気情報を記録可能なＡＰＳフイルムである場合には、撮影時に磁気記録部に撮影日時情報、撮影場所情報およびユーザ情報を記録しておき、画像の読み取り時に磁気記録部から同時に読み取ることにより得られたこれらの情報を画像データＳ０のタグ情報Ｔ０に記述すればよい。
【図面の簡単な説明】
【図１】本発明の第１の実施形態による画像整理装置を適用した画像保管システムの構成を示す概略ブロック図
【図２】複数の画像データの分類を説明するための図
【図３】画像データの分類結果を示す図
【図４】第１の実施形態において行われる処理を示すフローチャート
【図５】パソコンに表示された画像データの分類結果を示す図
【図６】本発明の第２の実施形態による画像整理装置を適用した画像保管システムの構成を示す概略ブロック図
【図７】第２の実施形態において行われる処理を示すフローチャート
【図８】本発明の第３の実施形態による画像整理装置を適用した画像保管システムの構成を示す概略ブロック図
【図９】第３の実施形態において行われる処理を示すフローチャート
【図１０】本発明の第４の実施形態による画像整理装置を適用した画像保管システムの構成を示す概略ブロック図
【図１１】第４の実施形態において行われる処理を示すフローチャート
【符号の説明】
１　　ユーザ
２　　画像保管サーバ
３　　ネットワーク
４　　画像整理手段
１０　　パソコン
１１　　デジタルカメラ
１２　　メモリカード
２１　　保管データベース
２３　　ウェブサーバ
２４　　サムネイル画像作成手段
４１　　画像データ入力手段
４２　　タグ情報読取手段
４３　　新古分類手段
４４　　第１画像分類手段
４５　　第２画像分類手段
４６　　現在日時情報取得手段
４７　　画像データ移行手段
４８　　分類履歴情報記憶手段
４９　　関連情報取得手段
【図１】
2004120420.tif 000003
【図２】
2004120420.tif 000004
【図３】
2004120420.tif 000005
【図４】
2004120420.tif 000006
【図５】
2004120420.tif 000007
【図６】
2004120420.tif 000008
【図７】
2004120420.tif 000009
【図８】
2004120420.tif 000010
【図９】
2004120420.tif 000011
【図１０】
2004120420.tif 000012
【図１１】
2004120420.tif 000013